(57)【要約】      （修正有）【課題】日替わりのおすすめメニュー等の顧客にアピールするための記載内容を目立たせるようにし、且つ記載内容の例えば日毎の書替えも可能にする。【解決手段】顧客に提供するための各種の定番メニューに係る料理品目を記載した献立記載用紙を綴じ込んでなるメニューブック１の表面部に、記載内容Ｍ１の書替え可能なボード面部１１を設ける。このボード面部１１の相対向する端部それぞれには、このボード面部１１の全体を覆って保護するための透明フィルム製の保護カバー体１２が脱着可能となるよう略コ字形挟持枠状の保持部１３ａ，１３ｂを設ける。ボード面部１１は、無定着剤インク使用の筆記具によって記載された記載内容Ｍ１を乾燥布・水・溶剤を使って拭き消し可能な平滑面を有する樹脂製部材によって形成する。【選択図】図１
0003200108.tif 000002
【実用新案登録請求の範囲】
【請求項１】
顧客に提供するための各種の定番メニューに係る料理品目が記載された献立記載用紙を綴じ込んでなるメニューブックの表面部に、記載内容の書替え可能なボード面部を設けてなることを特徴とするメニューブック。
【請求項２】
前記ボード面部の相対向する端部それぞれには、このボード面部の全体を覆って保護するための透明フィルム製の保護カバー体が脱着可能となるよう略コ字形挟持枠状の保持部を設けてなる請求項１記載のメニューブック。
【請求項３】
前記ボード面部は、無定着剤インク使用の筆記具によって記載された前記記載内容を乾燥布・水・溶剤を使って拭き消し可能な平滑面を有する樹脂製部材によって形成されてなる請求項１または２に記載のメニューブック。
【請求項４】
前記ボード面部には、前記記載内容の背景絵柄となる背景模様部を施してなる請求項１乃至３のいずれか記載のメニューブック。
【請求項５】
メニューブックは、常時提供される定番メニューに係る料理品目が記載された献立記載用紙を差し替え可能で且つ挿入された前記献立記載用紙を透視可能な透明ファイル部材を表裏両面部に備えて共に袋状となした表側メニュー部および裏側メニュー部の端縁同士を折込部を介して互いに連結してなり、前記表側メニュー部の表面部側の透明ファイル部材を覆うように、前記ボード面部を設けてなる請求項１乃至４のいずれか記載のメニューブック。
【請求項６】
常時提供される定番メニューに係る料理品目が記載された献立記載用紙を差し替え可能で且つ挿入された前記献立記載用紙を透視可能な透明ファイル部材を表裏両面部に備えて共に袋状となした表側メニュー部および裏側メニュー部の端縁同士を折込部を介して互いに連結してなり、前記表側メニュー部の表面部側の透明ファイル部材を覆うように、記載内容の書替え可能なボード面部を設け、このボード面部は、無定着剤インク使用の筆記具によって記載された前記記載内容を乾燥布・水・溶剤を使って拭き消し可能な平滑面を有する樹脂製部材によって形成され且つ前記記載内容の背景絵柄となる背景模様部を施してなり、前記ボード面部の相対向する端部それぞれには、このボード面部の全体を覆って保護するための透明フィルム製の保護カバー体が脱着可能となるよう略コ字形挟持枠状の保持部を設けてなることを特徴とするメニューブック。
【考案の詳細な説明】
【技術分野】
【０００１】
この考案は、例えばファミリーレストラン・居酒屋・小料理店等の各種の飲食店に来店した顧客に提供するための各種の料理品・メニューに係る料理品目が記載され、その中から、客が所望する料理品目を選択させて注文を取るためのメニューブックに関する。
【背景技術】
【０００２】
従来から提供されているメニューブックの多くは、表側の表紙位置に配置される表カバー部と、裏側の表紙位置に配置される裏カバー部とを備え、表カバー部および裏カバー部の間に、透明な塩化ビニル製のシートで形成された袋状の透明ファイル部材を綴じ込む構造のものとなっている。そして、メニュー用紙は、透明ファイル部材の内部に収納された状態で、メニューブックに綴じ込まれるようになっている。
【０００３】
例えば、特許文献１に開示されているように、表側の表紙位置に配置される表カバー部、裏側の表紙位置に配置される裏カバー部、これらの表カバー部および裏カバー部の端縁同士を連結する背カバー部を有する表紙部材と、この表紙部材の背カバー部に対応する綴じ代部の両側に一体に形成されると共に内部にメニューに係る品目が記載された献立記載用紙が挿入可能となった袋状のポケット部を有する透明ファイル部材を枚数増減や差し替え可能となって綴じ込んでなるメニューブックがある。
【先行技術文献】
【特許文献】
【０００４】
【特許文献１】特開２０１３−１４６９６７号公報
【考案の概要】
【考案が解決しようとする課題】
【０００５】
しかしながら、この特許文献１の場合、メニューに係る品目が記載された献立記載用紙を挿入した袋状の透明ファイル部材は、表カバー部と裏カバー部と背カバー部とを有する表紙部材の内側に挟み込んで綴じられた構成となっているため、例えば特に目立てさせたい日替わりのおすすめメニューに係る料理品目を献立記載用紙に記載しても、顧客に直接目に付くものではなかった。
【０００６】
そこでこの考案は叙上のような従来存した諸事情に鑑み案出されたもので、その目的は、特に注目させたい例えば日替わりのおすすめメニュー等を顧客にアピールするために記載内容が目立つようにし、且つ記載内容の日毎・時間毎等の書替えも容易に可能としたメニューブックを提供することにある。
【課題を解決するための手段】
【０００７】
上述した課題を解決するため、この考案にあっては、顧客に提供するための各種の定番メニューＭ２に係る料理品目が記載された献立記載用紙Ｐを綴じ込んでなるメニューブック１の表面部に、記載内容Ｍ１の書替え可能なボード面部１１を設けてなることを特徴とする。
ボード面部１１の相対向する端部それぞれには、このボード面部１１の全体を覆って保護するための透明フィルム製の保護カバー体１２が脱着可能となる略コ字形挟持枠状の保持部１３ａ，１３ｂを設けてなるものとすることができる。
ボード面部１１は、無定着剤インク使用の筆記具Ｍによって記載された前記記載内容Ｍ１を乾燥布・水・溶剤を使って拭き消し可能な平滑面を有する樹脂製部材によって形成されてなるものとすることができる。
ボード面部１１には、前記記載内容Ｍ１の背景絵柄となる背景模様部１４を施してなるものとすることができる。
メニューブック１は、常時提供される定番メニューＭ２に係る料理品目が記載された献立記載用紙Ｐを差し替え可能で且つ挿入された前記献立記載用紙Ｐを透視可能な透明ファイル部材５を表裏両面部に備えて共に袋状となした表側メニュー部２および裏側メニュー部３の端縁同士を折込部４を介して互いに連結してなり、前記表側メニュー部２の表面部側の透明ファイル部材５を覆うように、前記ボード面部１１を設けてなるものとすることができる。
【０００８】
以上のように構成されたこの考案に係るメニューブック１にあって、ボード面部１１は、日替わりのおすすめメニュー、メニューの内容の変更等に応じたメッセージ、店の宣伝、地域の観光スポット案内、新商品の宣伝、その他季節に応じたイラスト等の記載内容Ｍ１を書替え可能に表示させる。
このため、メニューブック１を開かずに表側メニュー部２を視ただけで、例えば日毎に替わるおすすめのメニュー等の記載内容Ｍ１を即座に顧客へ提示可能にさせる。
ボード面部１１の相対向する端部それぞれに設けられた略コ字形挟持枠状の保持部１３ａ，１３ｂは、透明フィルム製の保護カバー体１２の両端部を係架保持させる。
これにより、このボード面部１１に記載されている前記記載内容Ｍ１の故意による改竄もしくは過失による消失等を未然に防止させる。
平滑面を有する樹脂製部材によって形成されたボード面部１１は、無定着剤インク使用の筆記具Ｍによって記載内容Ｍ１を所望の記載形式で表示させる。
また、書替え時には乾燥布・水・溶剤を使って上記記載内容Ｍ１を拭き消すことで、新たに変更した記載内容Ｍ１を記載可能にさせる。
ボード面部１１に施された前記記載内容Ｍ１の背景模様部１４は、顧客に対するイメージを向上させる。
【考案の効果】
【０００９】
この考案は以上説明したように構成されているため、例えば日替わりのおすすめメニュー等の顧客にアピールするための記載内容Ｍ１を目立たせるようにし、且つ記載内容Ｍ１の日毎の書替えも可能となる。
【００１０】
すなわち、これはこの考案が、顧客に提供するための各種の定番メニューＭ２に係る料理品目が記載された献立記載用紙Ｐを綴じ込んでなるメニューブック１の表面部に、記載内容Ｍ１の書替え可能なボード面部１１を設けてなるからであり、これにより、メニューブック１を開かずに表側メニュー部２を視ただけで、例えば日毎に替わるおすすめのメニュー等の記載内容Ｍ１を即座に顧客へ提示することができる。
【００１１】
ボード面部１１の相対向する端部それぞれには、このボード面部１１の全体を覆って保護するための透明フィルム製の保護カバー体１２が脱着可能となるよう略コ字形挟持枠状の保持部１３ａ，１３ｂを設けてなるので、上記保護カバー体１２の両端部それぞれを相対向する端部の各保持部１３ａ，１３ｂに係架保持させることで、このボード面部１１に記載されている前記記載内容Ｍ１の記載全体を覆うことができ、この記載内容Ｍ１の故意による改竄、過失による消失等を未然に防止することができる。
【００１２】
ボード面部１１は、無定着剤インク使用の筆記具Ｍによって記載された前記記載内容Ｍ１を乾燥布・水・溶剤を使って拭き消し可能な平滑面を有する樹脂製部材によって形成されてなるので、前記筆記具Ｍによって記載内容Ｍ１を所望の記載形式で表示させることができ、また書替え時には乾燥布・水・溶剤を使って拭き消し可能としているため、記載内容Ｍ１の変更も容易に行える。
【００１３】
ボード面部１１には、前記記載内容Ｍ１の背景絵柄となる背景模様部１４を施してなるので、ファミリーレストラン・居酒屋・小料理店等の各種の飲食店における顧客に対するイメージ向上につながる。
【００１４】
また、ボード面部１１の書替え可能な記載内容Ｍ１は、前記日替わりのおすすめメニューに限らず、例えば、メニューの料理品目内容の変更等に応じたメッセージ、店の宣伝、地域の観光スポット案内、新商品の宣伝、その他季節に応じたイラスト等であっても良く、これによりメニューブック１に様々な変化を与えることができるので、コストを掛けずに来店客へのアピール効果を高めることができる。
【００１５】
メニューブック１は、常時提供される定番メニューＭ２に係る料理品目が記載された献立記載用紙Ｐを差し替え可能で且つ挿入された前記献立記載用紙Ｐを透視可能な透明ファイル部材５を表裏両面部に備えて共に袋状となした表側メニュー部２および裏側メニュー部３の端縁同士を折込部４を介して互いに連結してなり、前記表側メニュー部２の表面部側の透明ファイル部材５を覆うように、前記ボード面部１１を設けてなるので、常時提供される定番メニューＭ２に係る料理品目の変更も献立記載用紙Ｐの差替えによって容易に行えると共に、ボード面部１１での記載内容Ｍ１の設定も容易となる。
【００１６】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１７】
【図１】この考案を実施するための一形態を示すメニューブックの閉じている状態を表側メニュー部のボード面部側から視た斜視図である。
【図２】同じく開いている状態のメニューブックの斜視図である。
【図３】ボード面部の一端側の保持部の要部を示す拡大断面図である。
【図４】ボード面部から保護カバー体を取外している状態を示す斜視図である。
【図５】無定着剤インク使用の筆記具を使ってボード面部に日替わりのおすすめメニュー等の記載内容を記載している状態を示す斜視図である。
【考案を実施するための形態】
【００１８】
以下、図面を参照してこの考案を実施するための一形態を説明すると、図において示される符号１は、ファミリーレストラン・居酒屋・小料理店等の各種の飲食店に来店した顧客に提供するための各種の定番メニューＭ２に係る料理品目が記載され、その中から、客が所望する料理品目を選択させて、注文を取るために、各種飲食店のカウンタやテーブル等に置かれるメニューブックである。
【００１９】
メニューブック１は、図１および図２に示すように、表側メニュー部２および裏側メニュー部３の端縁同士を折込部４によって連結してなる二つ折り冊子構造となっている。表側メニュー部２および裏側メニュー部３それぞれは、常時提供される定番メニューＭ２に係る料理品目が記載された献立記載用紙Ｐが差し替え可能に挿入されるよう用紙挿入用開放部６が折込部４を介して互いに対向した袋状となって形成されている。
【００２０】
また、表側メニュー部２および裏側メニュー部３それぞれの表裏両面部には、両メニュー部２，３の縦横の縁部ぎりぎりまで幅広となった透視開口部７が設けられ、この透視開口部７を透明ファイル部材５によって覆設することにより、両メニュー部２，３に挿入された前記献立記載用紙Ｐの表裏を透視可能となるようにしてある。
【００２１】
表側メニュー部２の表面部側には、これの透明ファイル部材５を覆うように、平滑面を有する樹脂製部材によるボード面部１１が付設されており、このボード面部１１に記載内容Ｍ１を例えば水性マーカ等の無定着剤インク使用の筆記具Ｍを使って書替え可能に記載できるようにしてある。この筆記具Ｍとしては定着剤等が含まれていない例えばアルコール系顔料インク等が使われているものとしておくことで、乾いた布で拭くと簡単に文字を消すことができ、何度も繰り返して書き消しができるものとすることができる。しかもボード面部１１の表面自体はいわばツルツルに平滑加工されているため、ホワイトボード同様にインクを乾燥布だけであっても簡単に拭き消すことができるようにしてある。
【００２２】
さらに、このボード面部１１には、記載内容Ｍ１の背景となるよう例えば鯉の池・松・紅葉等の艶やかに施色された絵柄となっている背景模様部１４を施しておくことも可能である。例えば、記載内容Ｍ１が季節に応じた料理の場合には、その季節の花等の植物の絵柄でもよい。
【００２３】
なお、ボード面部１１に書替え可能に記載する記載内容Ｍ１は、前記日替わりのおすすめメニューに限らず、例えば、メニューの料理品目内容の変更等に応じたメッセージ、店の宣伝、地域の観光スポット案内、新商品の宣伝、その他季節に応じたイラスト等であっても良い。
【００２４】
図３に示すように、ボード面部１１の平面上における例えば上下または左右に相対向する端部箇所には、略コ字形挟持枠状の保持部１３ａ，１３ｂが付設されており、このボード面部１１全体を覆って保護するための透明フィルム製の保護カバー体１２がこの保持部１３ａ，１３ｂによって脱着自在に取付けられるようにしてある。
【００２５】
次に、以上のように構成された実施の形態についてのボード面部１１の使用の一例について説明すると、図４に示すように、先ず、ボード面部１１から保護カバー体１２を取外してから、筆記具Ｍを使ってボード面部１１に、例えば日替わりのおすすめメニュー等の記載内容Ｍ１を記載する。例えば図５に示す場合には、「松」の絵柄による背景模様部１４の上に、「本日のおすすめ」と冒頭に記載し、その横に日替わりのおすすめメニューの料理品目として例えば「鰆  銚子産」、「活石鯛  明石産」、「時鮭  釧路産」等の文字が記載されている。
【００２６】
そして、筆記具Ｍの無定着剤インクによる文字が乾いてから、保護カバー体１２の両端部それぞれを相対向する各保持部１３ａ，１３ｂによって保持させることで、このボード面部１１の全体を覆う。これにより、図１に示すように、メニューブック１を開かずに表側メニュー部２を視ただけで、日毎に替わるおすすめのメニュー等の記載内容Ｍ１を即座に顧客へ提示することができるのである。
【００２７】
また、記載内容Ｍ１を更新する際には、保護カバー体１２をボード面部１１の各保持部１３ａ，１３ｂから取外し、例えば乾燥布・水・中性洗剤等（図示せず）の溶剤等を使って以前の記載内容Ｍ１を拭き消してから、再度新たな記載内容Ｍ１を筆記具Ｍを使ってボード面部１１に記載すればよい。
【００２８】
なお、この実施形態におけるメニューブック１は、上記したように表側メニュー部２および裏側メニュー部３の端縁同士を折込部４によって連結してなる二つ折り冊子構造となっているが、この他、表側の表紙位置に配置される表カバー部と、裏側の表紙位置に配置される裏カバー部とを備え、表カバー部および裏カバー部の間に、透明な塩化ビニル製のシートで形成された袋状の透明ファイル部材５を綴じ込む構造のものであってもよい。この場合、上記ボード面部１１は表カバー部の外面に形成される。
【００２９】
また、保護カバー体１２の両端部それぞれをボード面部１１の相対向する各保持部１３ａ，１３ｂによって保持させる代わりに、ボード面部１１および保護カバー体１２の相互に対応する位置にそれぞれ磁性体を付設して両磁性体相互の吸着力により、あるいは面ファナー部材、フック部材等の固定手段によって保護カバー体１２をボード面部１１に固定させるものとしてもよい。
【符号の説明】
【００３０】
Ｐ…献立記載用紙                        Ｍ…筆記具
Ｍ１…記載内容                          Ｍ２…定番メニュー
１…メニューブック                      ２…表側メニュー部
３…裏側メニュー部                      ４…折込部
５…透明ファイル部材                    ６…用紙挿入用開放部
７…透視開口部
１１…ボード面部                        １２…保護カバー体
１３ａ，１３ｂ…保持部                  １４…背景模様部
【図１】
0003200108.tif 000003
【図２】
0003200108.tif 000004
【図３】
0003200108.tif 000005
【図４】
0003200108.tif 000006
【図５】
0003200108.tif 000007